(57)【要約】【課題】フォーカルプレンシャッタにおいて、羽根動作時に生じる摩擦を低減させる。【解決手段】フォーカルプレンシャッタにおいて、第１開口部を有する地板と、第２開口部を有するカバー板と、第３開口部を有する中間板と、前記地板と前記中間板との間に配置され、前記第１開口部、前記第２開口部、及び前記第３開口部を覆う状態と開放する状態とを切り替える第１羽根と、前記中間板と前記カバー板との間に配置され、前記第１開口部、前記第２開口部、及び前記第３開口部を覆う状態と開放する状態とを切り替える第２羽根と、前記第１羽根及び前記第２羽根を駆動する駆動部と、を備え、前記中間板は、前記第１羽根と対向する位置に、前記第１羽根に向かって突出する第１突起部を有し、前記第２羽根と対向する位置に、前記第２羽根に向かって突出する第２突起部を有する構成とする。【選択図】図１
2019015891.tif 000002
【特許請求の範囲】
【請求項１】
第１開口部を有する地板と、
第２開口部を有するカバー板と、
第３開口部を有する中間板と、
前記地板と前記中間板との間に配置され、前記第１開口部、前記第２開口部、及び前記第３開口部を覆う状態と開放する状態とを切り替える第１羽根と、
前記中間板と前記カバー板との間に配置され、前記第１開口部、前記第２開口部、及び前記第３開口部を覆う状態と開放する状態とを切り替える第２羽根と、
前記第１羽根及び前記第２羽根を駆動する駆動部と、を備え、
前記中間板は、前記第１羽根と対向する位置に、前記第１羽根に向かって突出する第１突起部を有し、前記第２羽根と対向する位置に、前記第２羽根に向かって突出する第２突起部を有する、
フォーカルプレンシャッタ。
【請求項２】
前記中間板は、複数の前記第１突起部と、複数の前記第２突起部とを有する、
請求項１に記載のフォーカルプレンシャッタ。
【請求項３】
前記第１羽根は、複数の第１羽根部材を含んでおり、
複数の第１突起部は、複数の前記第１羽根部材のうち最も前記中間板に近接する第１羽根部材の走行方向の長さより短い間隔で、前記走行方向に沿って配置される、
請求項２に記載のフォーカルプレンシャッタ。
【請求項４】
前記第２羽根は、複数の第２羽根部材を含んでおり、
複数の第２突起部は、複数の前記第２羽根部材のうち最も前記中間板に近接する第２羽根部材の走行方向の長さより短い間隔で、前記走行方向に沿って配置される、
請求項２または請求項３に記載のフォーカルプレンシャッタ。
【請求項５】
前記第１突起部及び前記第２突起部は、前記駆動部が配置された前記第１開口部の側方部とは反対側の、前記第３開口部の側方部に形成される、
請求項１から請求項４のいずれか１項に記載のフォーカルプレンシャッタ。
【請求項６】
前記中間板が金属で形成される、
請求項１から請求項５のいずれか１項に記載のフォーカルプレンシャッタ。
【請求項７】
前記第１突起部は、前記第１羽根の走行方向に延びて形成されている、
請求項１に記載のフォーカルプレンシャッタ。
【請求項８】
前記第２突起部は、前記第２羽根の走行方向に延びて形成されている、
請求項１または請求項７に記載のフォーカルプレンシャッタ。
【請求項９】
請求項１から請求項８のいずれか１項に記載のフォーカルプレンシャッタを備える撮像装置。
【発明の詳細な説明】
【技術分野】
【０００１】
本発明の一態様は、カメラなどの撮像装置に用いられるフォーカルプレンシャッタなどに関する。
【背景技術】
【０００２】
シャッタ羽根によって開口部（露光開口、または画枠とも称する）を開閉することで撮像素子に対する露光を行うフォーカルプレンシャッタでは、地板とカバー板との間に形成された羽根室に配置されたシャッタ羽根を駆動機構により駆動することで開口部の開閉状態を変化させ、露光が行われる構成となっている。シャッタ羽根は、リベットなどの連結具でアームの一端に連結され、アームの他端は駆動機構に連結される。シャッタの動作時には、駆動機構によりアームを介してシャッタ羽根に駆動力が伝達されることでシャッタ羽根が移動するが、このとき、連結具及びシャッタ羽根と地板との摩擦などにより、摩耗粉が発生することがある。これらの摩耗粉及びゴミが撮像素子に付着すると、撮像結果の品質が低下する原因となる。このような摩耗粉及びゴミへの対策を施した構成として、例えば特許文献１では、摩耗粉及びゴミが撮像面に飛来することを防止するために、粘着シートを利用したカメラ用フォーカルプレンシャッタが開示されている。また、特許文献２には、シャッタ地板に複数のハニカム状の穴を形成する構成が開示されており、この構成ではシャッタ地板と羽根との摩擦が軽減される構成となっている。
【先行技術文献】
【特許文献】
【０００３】
【特許文献１】特開２００３−２８００６６号公報
【特許文献２】特開２００１−３５０１７５号公報
【発明の概要】
【発明が解決しようとする課題】
【０００４】
上記従来の構成のフォーカルプレンシャッタでは、摩耗粉及びゴミが撮像面に付着することを軽減させることが可能であったが、近年、画質向上に対するさらに高い要求がある。そのため、従来よりもさらに効果的に、摩耗粉及びゴミが撮像面に付着することを防止可能な構成が求められている。上記特許文献２に記載の構成では、シャッタ地板と羽根とを摩擦が軽減されてはいるものの、羽根の摩擦が十分に軽減されない場合があった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
第１開口部を有する地板（１）と、
第２開口部を有するカバー板（２）と、
第３開口部を有する中間板（３）と、
前記地板と前記中間板との間に配置され、前記第１開口部、前記第２開口部、及び前記第３開口部を覆う状態と開放する状態とを切り替える第１羽根（５）と、
前記中間板と前記カバー板との間に配置され、前記第１開口部、前記第２開口部、及び前記第３開口部を覆う状態と開放する状態とを切り替える第２羽根（４）と、
前記第１羽根及び前記第２羽根を駆動する駆動部（８）と、を備え、
前記中間板は、前記第１羽根と対向する位置に、前記第１羽根（５）に向かって突出する第１突起部（３２ａ〜３２ｆ、３４）を有し、前記第２羽根と対向する位置に、前記第２羽根（４）に向かって突出する第２突起部（３１ａ〜３１ｆ、３３ａ、３３ｂ）を有する、
フォーカルプレンシャッタである。
【０００７】
上記構成のフォーカルプレンシャッタによれば、第１突起部及び第２突起部が、点接触などの比較的狭い接触領域で、それぞれ第１羽根及び第２羽根と接触することとなるため、中間板と、第１羽根及び第２羽根との摩擦を軽減させることができる。これによって、羽根動作時の摩擦により発生する摩耗粉やゴミの発生を抑制することができる。
【０００８】
上記フォーカルプレンシャッタにおいて、好ましくは、
前記中間板は、複数の前記第１突起部（３２ａ〜３２ｆ、３４）と、複数の前記第２突起部（３１ａ〜３１ｆ、３３ａ、３３ｂ）とを有する。
【０００９】
上記構成のフォーカルプレンシャッタによれば、例えば、第１羽根及び第２羽根の動作領域の比較的広い範囲または全範囲において、第１羽根及び第２羽根と、第１突起部及び第２突起部とがそれぞれ接する構成とすることが可能となる。これによって、中間板と、第１羽根及び第２羽根との摩擦を、より効果的に軽減することができ、摩耗粉やゴミの発生をより効果的に抑制することができる。
【００１０】
上記フォーカルプレンシャッタにおいて、好ましくは、
前記第１羽根（５）は、複数の第１羽根部材を含んでおり、
複数の第１突起部は、複数の前記第１羽根部材のうち最も前記中間板に近接する第１羽根部材の走行方向の長さより短い間隔で、前記走行方向に沿って配置される。
【００１１】
上記構成のフォーカルプレンシャッタによれば、第１羽根の走行時（動作時）において、常に第１突起部と接触する構成とすることができ、第１羽根と中間板との摩擦をさらに効果的に抑制することができる。これにより、さらに効果的に、摩耗粉やゴミの発生を抑制することができる。
【００１２】
上記フォーカルプレンシャッタにおいて、好ましくは、
前記第２羽根（４）は、複数の第２羽根部材を含んでおり、
複数の第２突起部は、複数の前記第２羽根部材のうち最も前記中間板に近接する第２羽根部材の走行方向の長さより短い間隔で、前記走行方向に沿って配置される。
【００１３】
上記構成のフォーカルプレンシャッタによれば、第２羽根の走行時（動作時）において、常に第２突起部と接触する構成とすることができ、第２羽根と中間板との摩擦をさらに効果的に抑制することができる。これにより、さらに効果的に、摩耗粉やゴミの発生を抑制することができる。
【００１４】
上記フォーカルプレンシャッタにおいて、好ましくは、
前記第１突起部及び前記第２突起部は、前記駆動部が配置された前記第１開口部の側方部とは反対側の、前記第３開口部の側方部に形成される。
上記構成のフォーカルプレンシャッタによれば、第１羽根及び第２羽根において、駆動部と連結された端部とは逆側の端部近傍で、第１羽根及び第２羽根が第１突起部及び第２突起部と接することとなる。これによって、より安定的に、第１羽根及び第２羽根を第１突起部及び第２突起部で支持する構成とすることができる。
【００１５】
上記フォーカルプレンシャッタにおいて、好ましくは、
前記中間板（３）が金属で形成される。
【００１６】
上記構成のフォーカルプレンシャッタによれば、中間板の材料として、樹脂などの他部材と比較して加工しやすい金属を用いることで、十分な剛性を有するとともに、精度良く第１突起部及び第２突起部を形成することができる。
【００１７】
上記フォーカルプレンシャッタにおいて、好ましくは、
前記第１突起部（３４）は、前記第１羽根（５）の走行方向に延びて形成されている。
【００１８】
上記構成のフォーカルプレンシャッタによれば、第１羽根を線状に支持する形状とすることができるため、第１羽根の動作領域の比較的広い範囲または全範囲において、第１羽根と第１突起部とが接する構成とし、第１突起部によって第１羽根をより安定的に支持する構成とすることができる。これによって、中間板と、第１羽根との摩擦を、より効果的に軽減することができ、摩耗粉やゴミの発生をより効果的に抑制することができる。
【００１９】
上記フォーカルプレンシャッタにおいて、好ましくは、
前記第２突起部（３３ａ、３３ｂ）は、前記第２羽根（４）の走行方向に延びて形成されている。
【００２０】
上記構成のフォーカルプレンシャッタによれば、第２羽根を線状に支持する形状とすることができるため、第２羽根の動作領域の比較的広い範囲または全範囲において、第２羽根と第２突起部とが接する構成とし、第２突起部によって第２羽根をより安定的に支持する構成とすることができる。これによって、中間板と、第２羽根との摩擦を、より効果的に軽減することができ、摩耗粉やゴミの発生をより効果的に抑制することができる。
【００２１】
上記いずれかのフォーカルプレンシャッタは、カメラなどの撮像装置に好適に適用される。
【００２２】
上記のような撮像装置によれば、羽根の動作時に、羽根と中間板との摩擦により摩耗粉やゴミが発生しづらくなるため、撮像素子などに摩耗粉やゴミなどが付着することを抑制することができ、撮像装置で撮像される画像の品質の低下を抑制することなどが可能となる。
【図面の簡単な説明】
【００２３】
【図１】図１は、実施形態１におけるフォーカルプレンシャッタの羽根走行待機状態の平面図である。
【図２】図２は、実施形態１におけるフォーカルプレンシャッタの羽根走行完了状態の平面図である。
【図３】図３は、実施形態１におけるフォーカルプレンシャッタの特徴部分の断面の模式図である。
【図４】図４は、実施形態１における先羽根側突起部の断面図である。
【図５】図５は、実施形態１における後羽根側突起部の断面図である。
【図６】図６は、実施形態２におけるフォーカルプレンシャッタの羽根走行待機状態の平面図である。
【図７】図７は、実施形態２における先羽根側突起部の断面図である。
【図８】図８は、実施形態２における後羽根側突起部の断面図である。
【発明を実施するための形態】
【００２４】
本発明のフォーカルプレンシャッタは、デジタルカメラなどの撮像装置で利用されるものであり、シャッタにおける羽根の動作時において、羽根と中間板との摩擦を軽減させるため、中間板が突起部を有する構成としている点を特徴のひとつとしている。
【００２５】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
２．実施形態２
３．補足事項
【００２６】
＜１．実施形態１＞
本実施形態のフォーカルプレンシャッタを含む従来のフォーカルプレンシャッタでは、以下に説明するような地板、カバー板、及び中間板を備える構成とし、地板と中間板との間に先羽根を、カバー板と中間板との間に後羽根を配置した構成とすることがある。このとき、先羽根及び後羽根は、動作時には中間板に沿って動作するよう設計する場合が比較的多い。したがって、羽根の動作時には、先羽根及び後羽根は、中間板と摩擦しながら動作することとなる。本実施形態ではこの点に着目し、中間板が羽根と摺動する部分に突起部を設けた構成としている。以下、具体的に説明する。
【００２７】
図１及び図２は、本実施形態のフォーカルプレンシャッタの平面図であって、図１は羽根走行待機状態を示し、図２は羽根走行完了状態を示している。図３は、本実施形態のフォーカルプレンシャッタの断面の模式図である。すなわち、図３は特徴部分を分かりやすく示したものであって、特定部分の断面図ではない。図４及び図５は、それぞれ先羽根側突起部及び後羽根側突起部の拡大断面図である。
【００２８】
図１〜図３に示されるように、本実施形態のフォーカルプレンシャッタは、地板１、カバー板２、中間板３、先羽根４、後羽根５、先羽根用アーム６１及び６２、後羽根用アーム７１及び７２、並びに駆動部８を含んで構成される。駆動部８は、駆動レバー８１及び８２を含む。
【００２９】
＜地板１＞
地板１は、フォーカルプレンシャッタの基板部分であって、矩形状の開口部１ａを有している。開口部１ａは、完全な矩形状でなくても良い。図１に示されるように、地板１の開口部１ａの側方位置（図の右側）には駆動部８が搭載される。なお、開口部１ａの形状は矩形に限らず、任意の形状を採用してもよい。開口部１ａは、本発明の「第１開口部」の一例である。
【００３０】
＜カバー板２＞
カバー板２は、地板１と対向する位置に、地板１に対して所定の間隔を空けて取り付けられる。カバー板２は、フォーカルプレンシャッタが搭載されたカメラにおいて撮像素子に近い位置に配置される。ただし、撮像素子の位置に対する地板１及びカバー板２の向きは任意に変更可能である。地板１とカバー板２との間には、中間板３、先羽根４、及び後羽根５などが配置される。カバー板２は、地板１の開口部１ａに対向する位置に形成された開口部２ａを有する。開口部２ａは、開口部１ａと類似の矩形状であるが、完全な矩形状ではなくても良いし、矩形以外の任意の形状であっても良い。開口部２ａは、本発明の「第２開口部」の一例である。なお、カバー板２は、「補助地板」などと呼ばれる場合もある。
【００３１】
＜先羽根４＞
先羽根４は、カバー板２と中間板３との間に配置される。先羽根４は、複数の略矩形状で板状の羽根部材からなり、「先羽根群」と呼ばれることがある。先羽根４は、連結具により連結された先羽根用アーム６１及び６２を介して駆動部８に連結される。先羽根４は駆動部８により駆動され、開口部１ａ、２ａ及び３ａにより形成される露光開口を覆う状態と開放する状態と（開閉状態）を切り替える。先羽根４は、図１及び図２において、上側から下側に向かって走行する。先羽根４は、後羽根５よりも撮像素子に近い位置に配置されている。先羽根４及び後羽根５は、それぞれアルミニウムなどの金属、カーボンファイバー、または樹脂により形成される。なお、先羽根４は、本発明の「第２羽根」の一例である。
【００３２】
図３に示されるように、先羽根４を構成する複数の（例えば４枚の）羽根部材は、光軸方向に積層されて配置される。先羽根４を構成する羽根部材は、走行方向において先に位置する羽根部材（図１において下側に示された羽根部材）が最も中間板３に近接して配置されている。したがって、先羽根４では、最も走行方向の先側に位置する羽根部材が中間板３と接することになる。なお、先羽根４の積層順は変更されても良い。
【００３３】
＜後羽根５＞
後羽根５は、地板１と中間板３との間に配置される。後羽根５は、複数の略矩形状で板状の羽根部材からなり、「後羽根群」と呼ばれることがある。後羽根５は、連結具により連結された後羽根用アーム７１及び７２を介して駆動部８に連結される。後羽根５は駆動部８により駆動され、開口部１ａ、２ａ及び３ａにより形成される露光開口を覆う状態と開放する状態と（開閉状態）を切り替える。後羽根５は、図１及び図２において、上側から下側に向かって走行する。なお、後羽根５は、本発明の「第１羽根」の一例である。
【００３４】
図３に示されるように、後羽根５を構成する複数の（例えば４枚の）羽根部材は、光軸方向に積層されて配置される。後羽根５を構成する羽根部材は、走行方向において後に位置する羽根部材（図２において上側に示された羽根部材）が最も中間板３に近接して配置されている。したがって、後羽根５では、最も走行方向の後側に位置する羽根部材が中間板３と接することになる。なお、後羽根５の積層順は変更されても良い。
【００３５】
＜中間板３＞
中間板３は、地板１とカバー板２との間に配置され、地板１との間と、カバー板２との間に、それぞれ後羽根５及び先羽根４を収容する羽根室を形成する。つまり、地板１と中間板３との間には後羽根５が配置され、カバー板２と中間板３との間には先羽根４が配置される。カメラに搭載される撮像素子から近い順に、カバー板２、先羽根４、中間板３、後羽根５、地板１、と配置されている。中間板３は、地板１の開口部１ａ及びカバー板２の開口部２ａに対向する位置に、矩形状の開口部３ａを有する。開口部１ａ及び２ａ同様、中間板３の開口部３ａも矩形状ではない任意の形状であっても良い。
【００３６】
図１〜図３に示されるように、中間板３は、先羽根側突起部３１ａ〜３１ｆ、及び後羽根側突起部３２ａ〜３２ｆを有する。図４は、先羽根側突起部３１ａ〜３１ｆの断面図、図５は、後羽根側突起部３２ａ〜３２ｆの断面図である。図３〜図５に示されるように、先羽根側突起部３１ａ〜３１ｆは、先羽根４と対向する位置に、先羽根４に向かって突出するよう、中間板３に形成される。同様に、後羽根側突起部３２ａ〜３２ｆは、後羽根５と対向する位置に、後羽根５に向かって突出するよう、中間板３に形成される。先羽根側突起部３１ａ〜３１ｆ及び後羽根側突起部３２ａ〜３２ｆは、いずれも平面視が円状となる、球面状の形状であり、先羽根４及び後羽根５と点接触する。つまり、先羽根側突起部３１ａ〜３１ｆ、及び後羽根側突起部３２ａ〜３２ｆは、中間板３に形成された凸部である。
【００３７】
先羽根側突起部３１ａ〜３１ｆ及び後羽根側突起部３２ａ〜３２ｆは、駆動部８が配置された位置とは逆側の、中間板３の開口部３ａの側方部分に形成される。つまり、先羽根側突起部３１ａ〜３１ｆは、最も近接して配置された先羽根４を構成する羽根部材において、駆動部８のアームと連結された端部とは逆側の端部近傍に配置される。また、後羽根側突起部３２ａ〜３２ｆは、最も近接して配置された後羽根５を構成する羽根部材において、駆動部８のアームと連結された端部とは逆側の端部近傍に配置される。これによって、先羽根４及び後羽根５は、動作時には、一方がアームに連結され、他方がそれぞれ先羽根側突起部３１ａ〜３１ｆ及び後羽根側突起部３２ａ〜３２ｆに接することとなる。そのため、動作時には、先羽根４及び後羽根５は、両端部近傍で支持されながら移動することとなり、安定して動作するようになる。また、先羽根４は先羽根側突起部３１ａ〜３１ｆと点接触しながら動作し、後羽根５は後羽根側突起部３２ａ〜３２ｆと点接触しながら動作するため、先羽根４、後羽根５、及び中間板３の摩耗を、従来よりも低減させることが可能となる。
【００３８】
また、先羽根側突起部３１ａ〜３１ｆは、先羽根４の動作時に、常に１以上の先羽根側突起部３１ａ〜３１ｆが先羽根４に接した状態を維持し、先羽根４を安定的に支持しながら摩耗を低減させるため、当該先羽根側突起部３１ａ〜３１ｆと接する先羽根４の羽根部材の走行方向の長さより短い間隔で、走行方向に沿って配置される。同様に、先羽根側突起部３１ａ〜３１ｆは、後羽根５の動作時に、後羽根側突起部３２ａ〜３２ｆと接する後羽根５の羽根部材の走行方向の長さより短い間隔で、走行方向に沿って配置される。
【００３９】
なお、中間板３は、地板１及びカバー板２と比較しても薄い樹脂の板部材で形成されることがあるが、このような薄い樹脂の板部材では、先羽根側突起部３１ａ〜３１ｆ及び後羽根側突起部３２ａ〜３２ｆを形成した際に十分な剛性を維持することが困難となる場合がある。そこで、本実施形態の中間板３は、金属で形成されることが好ましい。また、中間板３を金属にすることで、先羽根側突起部３１ａ〜３１ｆ及び後羽根側突起部３２ａ〜３２ｆを精度良く形成することができる。
【００４０】
＜先羽根用アーム６１、６２、後羽根用アーム７１、７２＞
先羽根用アーム６１及び６２は、駆動部８と先羽根４との間に配置され、連結具によって先羽根４に連結される。先羽根用アーム６１及び６２は、駆動部８で発生した駆動力を先羽根４に伝達する。より具体的には、先羽根用アーム６２は、駆動部８の駆動レバー８１に連結されており、この駆動レバー８１の動作に伴って、先羽根用アーム６１及び６２が先羽根４を動作させる。
【００４１】
後羽根用アーム７１及び７２は、先羽根用アーム６１及び６２と同様に、駆動部８と後羽根５との間に配置され、連結具によって後羽根５に連結される。後羽根用アーム７１及び７２は、駆動部８で発生した駆動力を後羽根５に伝達する。より具体的には、後羽根用アーム７２は、駆動部８の駆動レバー８２に連結されており、この駆動レバー８２の動作に伴って、後羽根用アーム７１及び７２が後羽根５を動作させる。
【００４２】
＜駆動部８＞
駆動部８は、地板１の側方部に一部または全部が配置され、外部から与えられる電力によって動作し、駆動レバー８１及び８２を介して、先羽根用アーム６１及び６２、並びに後羽根用アーム７１及び７２を介して先羽根４及び後羽根５を駆動する。駆動部８は、例えば、永久磁石、ヨーク、コイル、及びコイルばねなどを含み、与えられた電力によって動作する、従来から知られる電磁アクチュエータなどである。
【００４３】
本実施形態のフォーカルプレンシャッタは、平面視で開口部１ａ、２ａ及び３ａ（露光開口）の内側の位置であって、被写体とは逆側（光軸方向後方）に撮像素子を備える撮像装置（カメラ）に用いられる。撮像素子は、フォーカルプレンシャッタにおいて地板１よりもカバー板２に近い位置の、基板上に搭載される。撮像素子は、例えばＣＭＯＳセンサ、またはＣＣＤなどの光電変換素子である。
【００４４】
本実施形態のフォーカルプレンシャッタは、上記のように、中間板３が、先羽根４と対向する位置に先羽根側突起部３１ａ〜３１ｆを有し、後羽根５と対向する位置に後羽根側突起部３２ａ〜３２ｆを有する構成としているため、先羽根側突起部３１ａ〜３１ｆ及び後羽根側突起部３２ａ〜３２ｆが、点接触などの比較的狭い接触領域で、それぞれ先羽根４及び後羽根５と接触することとなる。そのため、中間板３と、先羽根４及び後羽根５との摩擦を軽減させることができる。これによって、羽根動作時の摩擦により発生する摩耗粉やゴミの発生を抑制することができる。
【００４５】
また、本実施形態のフォーカルプレンシャッタでは、中間板３が、先羽根側突起部及び後羽根側突起部をそれぞれ１つではなく、複数有する構成としている。そのため、先羽根４及び後羽根５の動作領域の比較的広い範囲または全範囲において、先羽根４及び後羽根５と、先羽根側突起部３１ａ〜３１ｆ及び後羽根側突起部３２ａ〜３２ｆとがそれぞれ接する構成とすることが可能となる。これによって、中間板３と、先羽根４及び後羽根５との摩擦を、より効果的に軽減することができ、摩耗粉やゴミの発生をより効果的に抑制することができる。
【００４６】
＜２．実施形態２＞
次に、本発明の実施形態２について説明する。本実施形態のフォーカルプレンシャッタを含む従来のフォーカルプレンシャッタでは、実施形態１のフォーカルプレンシャッタと異なり、先羽根側突起部及び後羽根側突起部が、それぞれ点ではなく線で先羽根４及び後羽根５と接するよう形成されている。当該特徴部分以外は、本実施形態のフォーカルプレンシャッタは実施形態１のフォーカルプレンシャッタと同様であるため、以下では詳細な説明を省略する。以下、本実施形態のフォーカルプレンシャッタの特徴部分について説明する。
【００４７】
図６は、本実施形態のフォーカルプレンシャッタの羽根走行待機状態の平面図である。図７及び図８は、それぞれ先羽根側突起部及び後羽根側突起部の拡大断面図である。
【００４８】
図６に示されるように、本実施形態のフォーカルプレンシャッタは、中間板３に形成された先羽根側突起部３３ａ及び３３ｂ、並びに後羽根側突起部３４を有する。図６〜図８に示されるように、先羽根側突起部３３ａ及び３３ｂは、先羽根４の走行方向に沿って、円弧状に形成されている。後羽根側突起部３４も同様に、後羽根５の走行方向に沿って、円弧状に形成されている。後羽根側突起部３４が１つであるのに対して先羽根側突起部３３ａ及び３３ｂが２つとなっているのは、先羽根側突起部を１つにすると後羽根側突起部３４と干渉するためである。
【００４９】
なお、先羽根側突起部と後羽根側突起部とは、互いに重なる位置が生じるよう一体となって形成されていても良い。ただし、先羽根側突起部と後羽根側突起部とを独立して形成すると、よりスムーズな羽根の動作が可能となるため好ましい。
【００５０】
本実施形態のフォーカルプレンシャッタでは、上記のように、先羽根側突起部３３ａ及び３３ｂが、先羽根４の走行方向に沿って円弧状に延びるよう形成されているため、先羽根４を線状に支持する形状とすることができ、先羽根４の動作領域の比較的広い範囲または全範囲において、先羽根４と先羽根側突起部３３ａ及び３３ｂとが接する構成としている。そのため、本実施形態のフォーカルプレンシャッタでは、先羽根側突起部３３ａ及び３３ｂによって、先羽根４をより安定的に支持する構成とすることができる。これによって、中間板３と、先羽根４との摩擦を、より効果的に軽減することができ、摩耗粉やゴミの発生をより効果的に抑制することができる。
【００５１】
本実施形態のフォーカルプレンシャッタでは、後羽根５のための構成として、上記同様に、後羽根５の走行方向に沿って円弧状に延びるよう形成された後羽根側突起部３４を有している。この後羽根側突起部３４により、本実施形態のフォーカルプレンシャッタは、後羽根５を線状に支持する形状とすることができ、後羽根５の動作領域の比較的広い範囲または全範囲において、後羽根５と後羽根側突起部３４とが接する構成としている。そのため、本実施形態のフォーカルプレンシャッタでは、後羽根側突起部３４によって、後羽根５をより安定的に支持する構成とすることができる。これによって、中間板３と、後羽根５との摩擦を、より効果的に軽減することができ、摩耗粉やゴミの発生をより効果的に抑制することができる。
【００５２】
＜２．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【００５３】
上記実施形態では、フォーカルプレンシャッタに備えられる先羽根４及び後羽根５は、それぞれ４数の羽根部材を有する構成として説明したが、先羽根４及び後羽根５は、それぞれ一枚または複数枚の羽根部材を有する構成であっても良い。
【産業上の利用可能性】
【００５４】
本発明は、デジタルカメラなどの撮像装置のフォーカルプレンシャッタなどとして好適に適用される。
【符号の説明】
【００５５】
１…地板
１ａ…開口部
２…カバー板
２ａ…開口部
３…中間板
３ａ…開口部
３１ａ〜３１ｆ…先羽根側突起部
３２ａ〜３２ｆ…後羽根側突起部
３３ａ、３３ｂ…先羽根側突起部
３４…後羽根側突起部
４…先羽根
５…後羽根
６１、６２…先羽根用アーム
７１、７２…後羽根用アーム
８…駆動部
８１…駆動レバー
８２…駆動レバー
【図１】
2019015891.tif 000003
【図２】
2019015891.tif 000004
【図３】
2019015891.tif 000005
【図４】
2019015891.tif 000006
【図５】
2019015891.tif 000007
【図６】
2019015891.tif 000008
【図７】
2019015891.tif 000009
【図８】
2019015891.tif 000010